(57)【要約】【課題】資源を有効活用して環境問題にも十分配慮し、さらに機種変更等の作業も効率的に行えるスロットマシンを提供する。【解決手段】  本体キャビネット２と、複数のリール４と、本体キャビネット２の開口を塞ぐように設けられる前扉３と、画像表示手段５とを備え、少なくとも、複数のリール４と、画像表示手段５と、所定の装飾絵柄を描いた可動装飾部材４４とをユニット化してなるリールユニット６を備え、画像表示手段５は、複数のリール４の上方に配置されており、可動装飾部材４４は、画像表示手段５の前方であって、画像表示手段５の少なくとも一部を覆うように設けられており、前扉３には、少なくとも、複数のリール４の図柄と、画像表示手段５において表示される種々の画像と、装飾絵柄とを視認可能な表示窓部２８を形成した。【選択図】  図２
2014050528.tif 000002
【特許請求の範囲】
【請求項１】
正面側に開口する本体キャビネットと、    
複数の図柄を周囲に配置した複数のリールと、
前記本体キャビネットの開口を塞ぐように設けられ、前記本体キャビネットに対して左右いずれかの一端縁が回動自在に支持される前扉と、
種々の画像を表示する画像表示手段と、を備えた遊技機において、
少なくとも、前記複数のリールと、前記画像表示手段と、所定の装飾絵柄を描いた装飾部材とをユニット化してなり、前記本体キャビネットの正面側において前記本体キャビネットに対して左右いずれかの一端縁側を回動軸として回動自在に支持されるリールユニットを備え、
前記画像表示手段は、前記複数のリールの上方に配置されており、
前記装飾部材は、前記画像表示手段の前方であって、前記画像表示手段の少なくとも一部を覆うように設けられており、
前記前扉には、少なくとも、前記複数のリールの図柄と、前記画像表示手段において表示される種々の画像と、前記装飾絵柄とを視認可能な表示窓部が形成されている、ことを特徴とする遊技機。
【請求項２】
複数のリールは、前記複数のリールの前端の位置が画像表示手段の前端の位置よりも前方に位置するように設けられており、
装飾部材は、前記複数のリールと前記画像表示手段との間に位置するように設けられている、請求項１記載の遊技機。
【請求項３】
装飾部材は、画像表示手段の前方において可動可能に構成されている、請求項１又は２記載の遊技機。
【請求項４】
画像表示手段には、画像を表示する画像表示領域が形成されており、
装飾部材は、前記画像表示領域を複数の領域に分割するように可動するものであり、
画像表示領域には、その分割された領域毎に異なる画像が表示される、請求項３記載の遊技機。
【発明の詳細な説明】
【技術分野】
【０００１】
本発明は、メダルや遊技球などを遊技媒体として遊技を行う遊技機に関する。
【背景技術】
【０００２】
パチンコ店において遊技者の遊技に供される遊技機の一つにスロットマシンがある。従来のスロットマシンは、正面側に開口する本体キャビネットと、本体キャビネットの正面側に開閉自在に支持される前扉とを備えている。本体キャビネットには、奥面にスロットマシンの各種制御を行う制御基板が取付固定され、制御基板よりも正面に近い側には複数のリールが設置され、複数のリールの下方にはメダルを払い出すホッパー装置が設置されている。また、前扉には、種々の画像を表示する画像表示装置が設けられるとともに、そのスロットマシンのモチーフとなった特定のキャラクターやそれに関連する絵柄等を描いた装飾が施されている。
【０００３】
パチンコ店では、既設のスロットマシンを新機種のスロットマシンに変更する機種変更が行われる。従来のスロットマシンは、構成部品が本体キャビネットや前扉に点在していたことから、機種変更は、既設のスロットマシンを島設備から取り外して新しいスロットマシンを島設備に取り付けて、スロットマシンをそのまま交換する方法が採用されていた。しかし、スロットマシンは流行性の高いものであるから、機種変更が頻繁に行われる。そのため、機種変更が行われる度に多くのスロットマシンが各パチンコ店の島設備から取り外される。取り外されたスロットマシンは、通常は埋立て又は焼却により廃棄処分されるが、スロットマシンにはプラスチックや接着剤が多く使用されているので、例えば焼却処分をすると有害物が発生する等して環境問題に悪影響を及ぼすおそれがある。また、近年は、限られた貴重な資源を有効活用すべく、材料や部品をリサイクルすることが注目されている。しかし、従来のスロットマシンは、部品等が本体キャビネットや前扉に点在していたため、材料や部品毎にリサイクルを行うことは容易でないという問題があった。
【０００４】
このような問題を解決するために、例えば、特許文献１では、回転リールの図柄を視認可能な図柄表示窓と所定の表示を表示可能な表示部を有する窓パネルユニットを前扉に設け、表示部に所定の表示を行わせる表示ユニットと、リール及びその駆動装置からなるリールユニットを本体キャビネットにクリップ等で着脱自在に配置したスロットマシンが開示されている（特許文献１）。
【先行技術文献】
【特許文献】
【０００５】
【特許文献１】特開２００３−２６０１７２号公報
【発明の概要】
【発明が解決しようとする課題】
【０００６】
特許文献１のスロットマシンは、機種変更を行う場合や外部機関等による制御基板の検査を所定期間毎に受ける場合には、クリップを操作して固定を解除した上でリールユニットを本体キャビネットから引き出し、さらに窓パネルユニットを前扉から取り外さなければならず、交換作業に手間がかかっていた。また、特許文献１のスロットマシンは、遊技性に関係のない部品も交換しなければならない構成になっており、貴重な資源を有効活用して環境問題にも十分配慮した構成であるとは言い難かった。
【０００７】
本発明は、資源を有効活用して環境問題にも十分配慮し、さらに機種変更等の作業も効率的に行えるスロットマシンを提供することを目的とする。
【課題を解決するための手段】
【０００８】
本発明は、
（１）正面側に開口する本体キャビネットと、複数の図柄を周囲に配置した複数のリールと、前記本体キャビネットの開口を塞ぐように設けられ、前記本体キャビネットに対して左右いずれかの一端縁が回動自在に支持される前扉と、種々の画像を表示する画像表示手段と、を備えた遊技機において、少なくとも、前記複数のリールと、前記画像表示手段と、所定の装飾絵柄を描いた装飾部材とをユニット化してなり、前記本体キャビネットの正面側において前記本体キャビネットに対して左右いずれかの一端縁側を回動軸として回動自在に支持されるリールユニットを備え、前記画像表示手段は、前記複数のリールの上方に配置されており、前記装飾部材は、前記画像表示手段の前方であって、前記画像表示手段の少なくとも一部を覆うように設けられており、前記前扉には、少なくとも、前記複数のリールの図柄と、前記画像表示手段において表示される種々の画像と、前記装飾絵柄とを視認可能な表示窓部が形成されている、ことを特徴とする遊技機、
（２）複数のリールは、前記複数のリールの前端の位置が画像表示手段の前端の位置よりも前方に位置するように設けられており、装飾部材は、前記複数のリールと前記画像表示手段との間に位置するように設けられている、上記（１）記載の遊技機、
（３）装飾部材は、画像表示手段の前方において可動可能に構成されている、上記（１）又は（２）記載の遊技機、
（４）画像表示手段には、画像を表示する画像表示領域が形成されており、装飾部材は、前記画像表示領域を複数の領域に分割するように可動するものであり、画像表示領域には、その分割された領域毎に異なる画像が表示される、上記（３）記載の遊技機、
を要旨とする。
【発明の効果】
【０００９】
本発明の遊技機は、少なくとも、複数のリールと、画像表示手段と、所定の装飾絵柄を描いた装飾部材とをユニット化してなり、本体キャビネットの正面側において、本体キャビネットに対して左右いずれかの一端縁側を回動軸として回動自在に支持されるリールユニットを備え、特定の機種の遊技機にしか使用できないものと、他の機種の遊技機にも使用できるものとをより明確に区別する構成にしたので、リールユニットを交換するだけで他の機種の遊技機に変更することができる。そのため、貴重な資源を無駄にすることのない、環境面に配慮した遊技機を提供することが可能になる。また、スロットマシンをそのまま交換する場合に比べて交換時に必要なコストを低減することも可能になり、さらには交換作業の作業効率をより向上させることが可能になる。
【図面の簡単な説明】
【００１０】
【図１】本発明の実施の形態に係る遊技機の正面図である。
【図２】前扉を開放した遊技機を示す外観斜視図である。
【図３】前扉及びリールユニットを開放した遊技機を示す外観斜視図である。
【図４】本体キャビネットの構成を示す正面図である。
【図５】リールユニットの分解斜視図である。
【図６】リールユニットの分解斜視図である。
【図７】液晶表示装置、可動装飾部材及びリールの前後方向における位置関係を説明するための説明図である。
【図８】第１可動装飾体の正面図であり、（ａ）は閉じ位置に位置する状態、（ｂ）は開き位置に位置する状態を示す。
【図９】第１可動装飾体の背面図であり、（ａ）は閉じ位置に位置する状態、（ｂ）は開き位置に位置する状態を示す。
【図１０】第２可動装飾体の正面図であり、（ａ）は下位置に位置する状態、（ｂ）は上位置に位置する状態を示す。
【図１１】第２可動装飾体の正面図であり、（ａ）は下位置に位置する状態、（ｂ）は上位置に位置する状態を示す。
【図１２】可動装飾部材の動作を説明するための説明図である。
【図１３】可動装飾部材の動作を説明するための説明図である。
【図１４】可動装飾部材の動作を説明するための説明図である。
【発明を実施するための形態】
【００１１】
本発明に係る遊技機の実施の形態について、図面を用いて具体的に説明する。本実施の形態では、本発明に係る遊技機の一例として、スロットマシンに適用した例について説明する。なお、本明細書において、スロットマシン（以下、遊技機と言う。）に関して、「前側」、「後側」は、遊技機を正面から見た場合における正面側（前面側）、裏面側（後面側）を示す。また、遊技機に関して、「上」、「下」、「左」、「右」とは、遊技機を正面に見た場合における上側、下側、左側、右側を示すものとする。本明細書においては、「後側」のことを「裏側」又は「背面側」と言うこともあり、前後方向のことを「奥行方向」と言うこともある。
【００１２】
［本体キャビネットの構成について］
図１〜図３に示すように、遊技機１は、本体キャビネット２と前扉３とを備えている。本体キャビネット２は、正面側が開口するように形成された箱状の部材である。この本体キャビネット２には、複数の図柄（図示せず）を周囲に配置した第１〜第３リール４ａ〜４ｃ及び画像表示手段としての液晶表示装置５を有するリールユニット６と、メダルを払い出すためのホッパー装置７等のような遊技機１での遊技に使用される各種装置が内部に収納配置されている。
【００１３】
また、本体キャビネット２は、左側の端縁で前扉３及びリールユニット６を回動自在に支持している。本体キャビネット２の正面左側側縁には、上下方向に延出する３つの支持部８〜１０が設けられている。これら３つの支持部８〜１０は、前扉３とリールユニット６とを回動自在に支持するためのものであり、共通支持部８、前扉支持部９及びリールユニット支持部１０から構成されている。共通支持部８は、本体キャビネット２の上部に設けられ、前扉３及びリールユニット６の左側端縁を回動自在に片持支持するためのものである。前扉支持部９は、本体キャビネット２の下部に設けられ、前扉３を回動自在に片持ち支持するためのものである。また、リールユニット支持部１０は、共通支持部８と前扉支持部９の間に設けられ、リールユニット６を回動自在に片持支持するためのものである。これら共通支持部８、前扉支持部９及びリールユニット支持部１０は、本体キャビネット２に取付固定されている基部８ａ〜１０ａと、基部８ａ〜１０ａから上方に向けて突出し、先端がテーパ状に形成された支持ピン８ｂ〜１０ｂとから構成されている。なお、基部８ａ〜１０ａと支持ピン８ｂ〜１０ｂは、一体で形成してもよいし、別体として形成した基部８ａ〜１０ａと支持ピン８ｂ〜１０ｂとを組み立てて用いてもよい。
【００１４】
本体キャビネット２には、リールユニット６を片持支持する側である左側端縁とは左右反対側の右側端縁の開口縁（正面側の端縁）に、リールユニット６の閉状態を維持するための係止部１１が形成されている。この係止部１１はピン状に形成されている。リールユニット６には、本体キャビネット２と互いに向かい合う位置で係止部１１と係合する鉤状の係合部１２が形成されており（図３参照）、リールユニット６が本体キャビネット２内に収納されて閉状態になった時に、鉤状の係合部１２がピン状の係止部１１に引っかかって係合するようになっている。係合部１２と係止部１１との係合状態は、例えば係止部１１を上下方向に移動させることによって解除することができるようになっている。
【００１５】
［前扉の構成について］
前扉３は、本体キャビネット２の前面側に、該本体キャビネット２の開口を塞ぐように設けられている。図１に示すように、前扉３は、メダルの貯留又は遊技開始時にメダルを投入する投入口２１、貯留されているメダルを１枚掛けられる１ベットボタン２２、貯留されているメダルを３枚掛けられるＭＡＸベットボタン２３、第１〜第３リール４ａ〜４ｃを回転駆動させて遊技を開始する際に操作するスタートレバー２４、第１〜第３リール４ａ〜４ｃの回転を停止させる際に操作する第１〜第３ストップボタン２５ａ〜２５ｃ、メダルの払い出しを行う排出口２６、メダルを受けるための受け皿２７を備えている。
【００１６】
また、前扉３は、表示窓部２８を備えている。表示窓部２８は、リールユニット６の第１〜第３リール４ａ〜４ｃの外周に付された複数の各種図柄（図示せず）が縦方向に３つずつ、合計９個の図柄を視認することが出来るほかに、液晶表示装置５に表示される各種画像や動画、第１〜第３リール４ａ〜４ｃの周囲に付されている固定装飾体４３に描かれたキャラクター図柄などのような各種意匠絵柄と、液晶表示装置５の前方であって、この液晶表示装置５の少なくとも一部を覆うように設けられた可動装飾部材４４に描かれている装飾絵柄を視認することができるようにするためのもので、前扉３の略上半分に設けられた開口にガラス等の透明な部材を嵌め込んで形成されている。前扉３を閉状態にした場合には、表示窓部２８の奥側にリールユニット６が位置しており、遊技者は、表示窓部２８を介して、第１〜第３リール４ａ〜４ｃの図柄や、液晶表示装置５に表示される各種画像、固定装飾体４３に描かれた各種意匠絵柄、可動装飾部材４４に描かれた装飾図柄等を視認することができる。なお、図１においては、説明の便宜上、表示窓部２８を介して視認可能な第１〜第３リール４ａ〜４ｃ等の記載は省略した。また、本実施の形態の遊技機１では、上記した表示窓部２８として前扉３の略上半分に表示窓部２８が形成されているが、少なくとも上記した図柄や画像などを遊技者が視認できればよく、表示窓部２８が前扉３の略上半分に形成されていなくてもよいし、上記した大きさに限定されるものでもない。
【００１７】
図２に示すように、前扉３は、本体キャビネット２に対して、左側の一端縁が回動自在に支持されている。すなわち前扉３は、本体キャビネット２に対して左側の一端縁の裏面側に第１の支持受け部が設けられており、本体キャビネット２に回動自在に支持されるようになっている。第１の支持受け部は、前扉３の上部に形成された前扉共通支持受け部３２と、前扉３の下部に形成された前扉支持受け部３３とからなる。前扉共通支持受け部３２は、共通支持部８の支持ピン８ｂ（図４参照）が挿通可能な大きさの長孔が貫通形成されており、前扉３を本体キャビネット２に取り付ける時に共通支持部８と係合する位置に取り付けられている。前扉支持受け部３３は、前扉支持部９の支持ピン９ｂが挿通可能な大きさの長孔が貫通形成されており、前扉３を本体キャビネット２に取り付ける時に前扉支持部９と係合する位置に取り付けられている。前扉３は、前扉共通支持受け部３２が共通支持部８と係合し、前扉支持受け部３３が前扉支持部９と係合することで、本体キャビネット２に対して回動可能に支持されている。
【００１８】
［リールユニット６の構成について］
図２、図３及び図５〜図７に示すように、リールユニット６は、リールユニット本体４１、枠体４２、固定装飾体４３及び可動装飾部材４４を備えており、これらがユニット化して構成されている。また、リールユニット本体４１は、第１〜第３リール４ａ〜４ｃ、画像表示手段としての液晶表示装置５、制御基板４５、収納部材４６及び発光部４７が支持枠４８に組み付けられて構成されている。
【００１９】
第１〜第３リール４ａ〜４ｃは、図示しない複数の図柄を周囲に配置したもので、ドラム状のリールケース内で回転可能に軸支されており、スタートレバー２４が操作されると一斉に回転を開始し、第１〜第３ストップボタン２５ａ〜２５ｃが押圧操作されると、押圧操作されたストップボタンに対応したものが停止するようになっている。リールケースは、支持枠４８の下部裏面側に取り付けられている。このリールケースは、前扉３を閉状態にした時の表示窓部２８と対向する正面側が開口しており、リールケース内の第１〜第３リール４ａ〜４ｃの図柄が表示窓部２８を介して外部から視認できるようになっている。このリールユニット６は、本体キャビネット２の正面側において、左側の一端縁が回動自在に支持されている。即ち、リールユニット６は、本体キャビネット２の左側の一端縁を回動軸として回動自在に支持されている。
【００２０】
液晶表示装置５は、遊技の進行に応じて種々の画像や動画等を表示するもので、第１〜第３リール４ａ〜４ｃの上方に配置されている。液晶表示装置５で表示する画像等としては、例えば大当り又は大当り以外の他の役に当選又は入賞した時に、そのことを遊技者に報知するための画像や、遊技者の興趣を向上させるようなキャラクター動画等が挙げられる。なお、液晶表示装置５で表示させるものは、上記したもの以外であってもよい。また、画像表示手段としては、例えば有機ＥＬ（Ｅｌｅｃｔｒｏ−Ｌｕｍｉｎｅｓｃｅｎｃｅ）のような、液晶表示装置５以外のものを用いてもよい。
【００２１】
制御基板４５は、主制御基板５１及び副制御基板５２を有する。主制御基板５１は、第１〜第３リール４ａ〜４ｃの動作制御のような、主として遊技機１の遊技に関する各種制御を行うためのものである。副制御基板５２は、遊技の進行に応じた画像や動画等の選択、液晶表示装置５の表示態様や遊技機１の各所に配置されているＬＥＤ等のような発光部４７の発光態様に関する、主に遊技機１における遊技の演出に関する各種制御を行うためのものである。これら主制御基板５１は、主制御基板５１用の基板ケース５３に収容され、副制御基板５２は、副制御基板５２用の基板ケース５４に収容されており、不正に基板ＲＯＭを取り替えるような不正行為が行えないような構造になっている。
【００２２】
主制御基板５１用の基板ケース５３は、例えばプラスチック等の樹脂材料で形成されており、内部に主制御基板５１が収納可能な大きさに形成されている。また、主制御基板５１用の基板ケース５３は、収納部材４６の背面側に取付固定することができるように構成されている。この収納部材４６への取り付けは、例えばネジ止めによる方法でもよいし、ネジ止め以外の方法であってもよい。
【００２３】
副制御基板５２用の基板ケース５４は、例えばプラスチック等の樹脂材料で形成されており、内部に副制御基板５２が収納可能な大きさに形成されている。また、副制御基板５２用の基板ケース５４には、副制御基板５２の端子である各種コネクターが設けられている。これらコネクターには、主制御基板５１や液晶表示装置５等と接続された配線（図示せず）が接続されており、副制御基板５２が主制御基板５１や液晶表示装置５との間で電気的なやり取りを行えるようになっている。また、副制御基板５２用の基板ケース５４には、収納部材４６に取り付ける際に使用される樹脂製のリベットが左右両側に形成されている。この副制御基板５２用の基板ケースは、収納部材４６の内部に上方から挿入するようになっている。
【００２４】
収納部材４６は、プラスチック等の各種材料でコ字形に形成されている。収納部材４６は、支持枠４８の裏面側において、第１〜第３リール４ａ〜４ｃの上方で、かつ奥側の壁部が液晶表示装置５の裏面側と対向する位置にネジ止め等の各種方法で取り付けられるように構成されている。収納部材４６は、副制御基板５２用の基板ケース５４を取り付けるための基板ケース取付孔が左右両側の壁部の上端部に設けられている。この基板ケース取付孔は、副制御基板５２用の基板ケース５４に設けられたリベットが嵌め込まれて該基板ケースが固定されるように形成されている。この基板ケース取付孔にリベットを嵌め込んで基板ケースを固定することにより、収納部材４６の内部に副制御基板５２が収納されるようになっている。また、収納部材４６には、後面側の外部に主制御基板５１が収容された主制御基板５１用の基板ケース５３がネジ止め等の各種方法によって取付固定されるようになっている。
【００２５】
発光部４７は、第１〜第３リール４ａ〜４ｃの左右両側に５個ずつ設けられているＬＥＤ等の発光体が設けられており、前側に取付固定される各種装飾体に対して光が照射されるように構成されている。なお、発光部４７の発光態様は任意に決定することができ、遊技の進行等に応じて、同時に全ての発光部４７を発光させたり、各発光部４７の点滅周期を変えるようにして発光させてもよい。また、点滅周期の他に、ＬＥＤの発光色を変えるようにしてもよい。また、発光部４７は、全ての発光部４７を使用しなくてもよく、機種に応じて一部の発光部４７のみを使用してもよい。例えば、遊技機１の機種変更をする際に、左右両側に配置された１０個の発光部４７のうちの６個のみを発光可能な状態にしておき、残りの４個は発光しないようにしてもよい。装飾体には、遊技機１の機種に特有のキャラクター図柄や、光が透過することでよりきらびやかに見える絵柄等を発光部４７により照射される位置に配置することが好ましい。なお、発光部４７は、各種装飾体に対して光を照射することができればよく、ＬＥＤ等以外の発光体を任意に選択して用いてもよい。
【００２６】
支持枠４８は、例えば金属で形成された枠状の部材で、第１〜第３リール４ａ〜４ｃ、液晶表示装置５、収納部材４６が取り付けられるように構成されている。また、支持枠４８には、本体キャビネット２により回動自在に支持される左側縁に第二の支持受け部が設けられている。第二の支持受け部は、リールユニット６の上部に形成されたリールユニット共通支持受け部５７と、リールユニット６の下部に形成されたリールユニット支持受け部５８とから構成されている。リールユニット共通支持受け部５７は、本体キャビネット２に設けられている共通支持部８の支持ピン８ｂが挿通可能な大きさの長孔が貫通形成されており、本体キャビネット２に取り付ける時に共通支持部８と係合する位置に取り付けられている。また、リールユニット支持受け部５８は、本体キャビネット２に設けられているリールユニット支持部１０の支持ピン１０ｂが挿通可能な大きさの長孔が貫通形成されており、本体キャビネット２に取り付ける時にリールユニット支持部１０と係合する位置に取り付けられている。リールユニット６は、リールユニット共通支持受け部５７が共通支持部８と係合し、リールユニット支持受け部５８がリールユニット支持部１０と係合することで、本体キャビネット２の正面側に、本体キャビネット２の左端縁側を回動軸として回動自在に支持されている。
【００２７】
枠体４２は、リールユニット本体４１の前側に取付固定することができるように構成されている。この枠体４２は、演出視認領域５９と、図柄視認領域６０と、透光領域６１の３つの領域が形成されている。また、枠体４２には、可動装飾部材４４を構成する第１可動装飾体７１を取付固定するための第１取付部６２と、第２可動装飾体７２を取付固定するための第２取付部６３が形成されている。演出視認領域５９は、液晶表示装置５の表示画面と、固定装飾体４３と、可動装飾部材４４を構成する第１可動装飾体７１及び第２可動装飾体７２とを視認可能にするための領域であり、枠体４２の上下方向の略中央から上部に向けて開口するように形成されている。この演出視認領域５９は、枠体４２をリールユニット本体４１に取付固定した時に、該リールユニット本体４１に組み付けられている液晶表示装置５の表示画面と、固定装飾体４３と、第１可動装飾体７１及び第２可動装飾体７２を視認することが可能な位置に形成されている。図柄視認領域６０は、リールユニット本体４１に組み付けられている第１〜第３リール４ａ〜４ｃの周囲に配置された複数の図柄を視認するための領域であり、枠体４２の上下方向の略中央から下部に向けて開口するように形成されている。この図柄視認領域６０は、枠体４２をリールユニット本体４１に取付固定した時に、第１〜第３リール４ａ〜４ｃの図柄を視認することが可能な位置に形成されている。透光領域６１は、リールユニット本体４１の発光部４７が発する光を透光し、各種装飾体に対して光を照射することができるように形成されている。この透光領域６１は、枠体４２をリールユニット本体４１に取付固定した時に、該リールユニット本体４１の発光部４７が位置する位置と一致する箇所に形成されている。
【００２８】
第１取付部６２は、第１可動装飾体７１を取付固定することができるように、枠体４２の前側に形成されている。この第１取付部６２は、第１可動装飾体７１の左右両端部を取付固定し、左右両端よりも左右方向中央寄りの第１装飾部７１ａが演出視認領域５９から視認可能な位置に形成されている。また、第２取付部６３は、第２可動装飾体７２を取付固定することができるように、枠体４２の後側に形成されている。この第２取付部６３は、第２可動装飾体７２の左右両端部を取付固定し、左右両端よりも左右方向中央寄りの中央装飾部９１が演出視認領域５９から視認可能な位置に形成されている。
【００２９】
固定装飾体４３は、枠体４２に取付固定され、枠体４２がリールユニット本体４１に取り付けられた時に、液晶表示装置５の前方に位置するように構成されている。また、固定装飾体４３には、遊技者の興趣を向上させるような図柄や、遊技機１に関連するキャラクター等のような所定の意匠絵柄も描かれている。この固定装飾体４３は、光を透過するような透光性を有する材料で形成されており、この照射される光によって意匠絵柄をより鮮やかに見せて遊技の興趣を更に向上させることが可能な演出を行うことができるようになっている。本実施の形態では、固定装飾体４３は、枠体４２の左側に取付固定される左側固定装飾体４３ａと、枠体４２の右側に取付固定される右側固定装飾体４３ｂとから構成されている。これら左側固定装飾体４３ａと右側固定装飾体４３ｂとは、異なる意匠絵柄を描いているが、意匠絵柄や光によって遊技の興趣を向上させることができるものであればよく、これに限定されるものではない。例えば、左側固定装飾体４３ａと右側固定装飾体４３ｂのいずれに対して同一の意匠絵柄を描いたものであってもよい。また、本実施の形態では、固定装飾体４３として、左側固定装飾体４３ａと右側固定装飾体４３ｂとから構成されている例を用いて説明しているが、これに限定されるものではなく、遊技の興趣を向上させることが可能であれば、これ以外の形状であってもよいし、固定装飾体４３を２つ以上の装飾体から構成するようにしてもよい。
【００３０】
可動装飾部材４４は、枠体４２に形成されている演出視認領域５９において、遊技の進行等に伴って左右方向又は上下方向等に可動するように構成されている。この可動装飾部材４４は、第１可動装飾体７１と第２可動装飾体７２とからなる。第１可動装飾体７１は、枠体４２の前側に形成されている第１取付部６２に取付固定されるように構成されており、左右方向両端部よりも中央寄りに形成された第１装飾部７１ａが枠体４２の演出視認領域５９から視認することができる位置に配置される。第２可動装飾体７２は、枠体４２の後側に形成されている第２取付部６３に取付固定されるように構成されており、左右方向両端部よりも中央寄りに形成された中央装飾部９１が枠体４２の演出視認領域５９から視認することができる位置に配置される。
【００３１】
可動装飾部材４４は、枠体４２に取付固定され、この枠体４２がリールユニット本体４１に取付固定された場合には、枠体４２の後側で演出視認領域５９と同じ位置に位置する液晶表示装置５の下部前側に位置するように配置されている。即ち、可動装飾部材４４は、遊技機１を正面側から見た場合に、該液晶表示装置５の少なくとも一部（本実施の形態では、液晶表示装置５の下部の一部）を覆うように配置されている。
【００３２】
また、可動装飾部材４４と液晶表示装置５と第１〜第３リール４ａ〜４ｃとの前後方向における位置関係は、図７に示すように配置される。遊技機１は、側面側から見ると、リールユニット６を構成する第１〜第３リール４ａ〜４ｃが遊技機１の略中央に配設されている。そして、これら第１〜第３リール４ａ〜４ｃの上方に液晶表示装置５と可動装飾部材４４が配置されている。ここで、第１〜第３リール４ａ〜４ｃは、水平方向における該第１〜第３リール４ａ〜４ｃ前端の位置が液晶表示装置５の前端の位置よりも前方に位置するように設けられている。また、水平方向における第１〜第３リール４ａ〜４ｃの前端の位置は、可動装飾部材４４の前端の位置よりも前方に位置するように設けられている。即ち、可動装飾部材４４は、水平方向における位置が、第１〜第３リール４ａ〜４ｃの前端と液晶表示装置５との間に位置するように設けられており、第１〜第３リール４ａ〜４ｃの前端と可動装飾部材４４の前端との間にはＷ１の間隔を有するように第１〜第３リール４ａ〜４ｃの前端が位置し、液晶表示装置５と第１〜第３リール４ａ〜４ｃの前端とのＷ２の間隔を有するようにリールの前端が位置している。
【００３３】
次に、可動装飾部材４４を構成する第１可動装飾体７１の構成について説明する。図８及び図９に示すように、第１可動装飾体７１は、左可動装飾体７３と右可動装飾体７４とが一対となるように構成されている。左可動装飾体７３は、左側装飾部７５と第１左側駆動機構７６とを備えている。また、右可動装飾体７４は、右側装飾部７７と第１右側駆動機構７８とを備えている。左側装飾部７５及び右側装飾部７７は、遊技者の興趣を向上させるような図柄や遊技機１に関するキャラクター、又は装飾的に図案化した文字等のような所定の装飾図柄が形成されている。これら左側装飾部７５及び右側装飾部７７に形成される装飾図柄としては、遊技の興趣を向上させるような演出ができるものであればよく、上記した図柄等に限定されるものではない。また、これら左側装飾部７５及び右側装飾部７７に光を照射することができるように構成し、装飾図柄による演出に加えて光による演出を伴わせることにより、より遊技者の興趣を向上させる演出を行うことを可能とすることができる。
【００３４】
第１左側駆動機構７６は、第１ベース部材８１、第１駆動部としての第１駆動モータ８２、第１従動部８３を備えている。なお、本実施の形態における第１左側駆動機構７６及び第１右側駆動機構７８は、左右対称であるものの、構成は同一であるため、本明細書では、第１左側駆動機構７６の構成についてのみ説明し、第１右側駆動機構７８の構成について第１左側駆動機構７６についての説明と重複する箇所の説明は省略し、必要に応じてカッコ書きで第１右側駆動機構７８の構成に関して説明することとする。また第１左側駆動機構７６及び第１右側駆動機構７８では、同一の構成の箇所については同一の符号を用いることとする。
【００３５】
第１ベース部材８１は、第１左側駆動機構７６における第１駆動モータ８２、第１従動部８３を設けることができ、かつ枠体４２に取付固定するためのベースとなる部材である。この第１ベース部材８１には、第１駆動モータ８２が取付固定されるとともに、各種ギヤも取り付けられるように構成されている。また、左右方向に延びる長孔が開口形成されている。
【００３６】
第１駆動部は、本実施の形態では第１駆動モータ８２を用いており、この第１駆動モータ８２は第１左側駆動機構７６の左側（第１右側駆動機構７８は右側）に設けられている。第１駆動モータ８２は、第１ベース部材８１の正面側にネジ止め等の方法によって取付固定されており、第１駆動モータ８２の回転軸は、第１ベース部材８１に開口形成されている図示しない第１挿通孔を挿通して、第１ベース部材８１の裏側へ進出するようになっている。回転軸の先端には第１ギヤ８４が圧入等の方法によって取り付けられている。第１ギヤ８４は、第１ベース部材８１の裏側において回転軸を中心に回転可能に設けられた第２ギヤ８５と噛み合っており、第１ギヤ８４が回転すると、第２ギヤ８５も回転するように構成されている。第２ギヤ８５は第３ギヤ８６と噛み合い、第３ギヤ８６は第４ギヤ８７と噛み合っているので、第１ギヤ８４が回転すると、第２〜第４ギヤ８５〜８７が回転するように構成されている。
【００３７】
第１従動部８３は、第１ベース部材８１の裏側に設けられている第１ラック部８８を有し、第１ラック部８８の先端から第１ベース部材８１の長孔８１ａ内を通って第１ベース部材８１の正面側に進出し、左側装飾部７５を取り付けることができるように構成されている。第１ラック部８８は、第４ギヤ８７と噛み合うことが可能な歯型が形成されており、第４ギヤ８７が回転すると、左右方向へ直線運動をするようになっている。
【００３８】
図８及び図９に示すように、第１左側駆動機構７６及び第１右側駆動機構７８は、第１駆動モータ８２がＡ方向に回転駆動を開始すると、それに伴って第１〜第４ギヤ８４〜８７が回転駆動を開始する。この時、第４ギヤ８７と第１従動部８３の第１ラック部８８が噛み合っているので、第１駆動モータ８２の回転に伴って第４ギヤ８７が回転駆動することにより、第１従動部８３はＢ方向へ直線的に移動する。即ち、第１駆動モータ８２がＡ方向に回転駆動を開始すると、第１従動部８３は、左側装飾部７５及び右側装飾部７７が互いに隣接する閉じ位置から、これらが互いに離れた開き位置に位置するまで、互いに離れる方向へ直線的に移動する。
【００３９】
また、第１左側駆動機構７６及び第１右側駆動機構７８は、第１駆動モータ８２がＣ方向に回転駆動を開始すると、それに伴って第１〜第４ギヤ８５〜８７が回転駆動を開始する。この時、第４ギヤ８７と第１従動部８３の第１ラック部８８が噛み合っているので、第１駆動モータ８２の回転に伴って第４ギヤ８７が回転駆動することにより、第１従動部８３はＤ方向へ直線的に移動する。即ち、第１駆動モータ８２がＣ方向に回転駆動を開始すると、第１従動部８３は、左側装飾部７５及び右側装飾部７７が開き位置から閉じ位置に位置するまで、互いに近づく方向へ直線的に移動する。
【００４０】
次に、可動装飾部材４４を構成する第２可動装飾体７２の構成について説明する。図１０及び図１１に示すように、第２可動装飾体７２は、中央装飾部９１と第２左側駆動機構９２と第２右側駆動機構９３とを備えている。中央装飾部９１は、第２左側駆動機構９２及び第２右側駆動機構９３と連動するように構成されており、これら第２左側駆動機構９２及び第２右側駆動機構９３の間、即ち第２可動装飾体７２の中央部に位置するように構成されている。この中央装飾部９１は、遊技者の興趣を向上させるような図柄や遊技機１に関するキャラクター、又は装飾的に図案化した文字等のような所定の装飾図柄が形成されている。この中央装飾部９１に形成される装飾図柄としては、遊技の興趣を向上させるような演出ができるものであればよく、上記した図柄等に限定されるものではない。また、中央装飾部９１に光を照射することができるように構成し、装飾図柄による演出に加えて光による演出を伴わせることにより、より遊技者の興趣を向上させる演出を行うことを可能とすることができる。
【００４１】
第２左側駆動機構９２及び第２右側駆動機構９３は、第２ベース部材９４、第２駆動部としての第２駆動モータ９５、第２従動部９６、第３従動部９７、第１腕部９８及び第２腕部９９を備えている。なお、本実施の形態では、第２左側駆動機構９２及び第２右側駆動機構９３は、左右対称ではあるものの、構成は同一であるため、本明細書では、第２左側駆動機構９２の構成についてのみ説明し、第２右側駆動機構９３の構成について第２左側駆動機構９２についての説明と重複する箇所の説明は省略し、必要に応じてカッコ書きで第２右側駆動機構９３の構成に関して説明することとする。また、第２左側駆動機構９２及び第２右側駆動機構９３では、同一の構成の箇所については同一の符号を用いるものとする。
【００４２】
第２ベース部材９４は、第２左側駆動機構９２における第２駆動部としての第２駆動モータ９５、第２従動部９６及び第３従動部９７を設けることができ、かつ枠体４２に取付固定するためのベースとなる部材である。この第２ベース部材９４には、第２駆動モータ９５が取付固定されるとともに、各種ギヤも取り付けられるように構成されている。また、第２ベース部材９４には、第１腕部９８の一端側の端部を取り付けるための第１取付孔９４ａと、第２腕部９９の一端側の端部を回動自在に取り付けるための第２取付孔９４ｂとが開口形成されている。さらに、第２ベース部材９４は、第２従動部９６に開口形成されている後述する第２長孔部１０１内に挿通し、該第２従動部９６の過度な移動を規制するための規制部１０３が設けられている。
【００４３】
第２駆動部は、本実施の形態では第２駆動モータ９５を用いている。この第２駆動モータ９５は、第２左側駆動機構９２の左側（第２右側駆動機構９３は右側）に設けられている。第２駆動モータ９５は、第２ベース部材９４の正面側にネジ止め等の方法によって取付固定されており、第２駆動モータ９５の回転軸は、第２ベース部材９４に開口形成されている図示しない第２挿通孔を挿通して、第２ベース部材９４の裏側へ進出するようになっている。回転軸の先端には、第５ギヤ１０２が圧入等の方法によって取り付けられている。第５ギヤ１０２は、第２ベース部材９４の裏側において回転軸を中心に回転可能に設けられており、第２従動部９６の第２ラック部１００と噛み合うことができるように構成されている。
【００４４】
第２従動部９６は、第２ベース部材９４の裏側に設けられている第２ラック部１００と、第２長孔部１０１を有している。この第２従動部９６は、略直方体形状のブロック状に形成されており、上部に第２ラック部１００が形成され、前後方向に貫通するように第２長孔部１０１が形成されている。第２ラック部１００は、第２駆動部の第５ギヤ１０２と噛み合うことができるように構成されている。この第２ラック部１００は、第５ギヤ１０２が回転駆動すると、その駆動を受けて、左右方向に直線運動をするように構成されている。また、この第２ラック部１００は、右側端部（第２右側駆動機構９３の場合は、左側端部）が第３従動部９７の左側端部（第２右側駆動機構９３の場合には右側端部）と当接するように配置されており、図１０及び図１１中のＦ方向へ移動する際に、第３従動部９７に対してＦ方向へ押す押圧力を付与することができるように設けられている。
【００４５】
第２長孔部１０１は、第２従動部９６の前後方向に貫通するように形成された横長状の孔である。この第２長孔部１０１には、第２ベース部材９４に設けられている規制部１０３が位置しており、第２従動部９６が左右方向へ直線運動をした時に、該第２従動部９６の左右方向への移動が規制されるようになっている。即ち、第２長孔部１０１は、図１０及び図１１中のＦ方向へ移動した場合には、第２長孔部１０１の左側面（第２右側駆動機構９３の場合には、右側面）が規制部１０３の右側面（第２右側駆動機構９３の場合には、左側面）と当接することにより、第２従動部９６のＦ方向への過剰な移動が規制される。また、第２長孔部１０１は、図１０及び図１１中のＨ方向へ移動した場合には、第２長孔部１０１の右側面（第２右側駆動機構９３の場合には、左側面）が規制部１０３の左側面（第２右側駆動機構９３の場合には、右側面）と当接することにより、第２従動部９６のＨ方向への過剰な移動が規制される。
【００４６】
第３従動部９７は、第２ベース部材９４の裏側において、左右方向へ移動可能に取り付けられている。第３従動部９７は、第１腕部９８を回動自在に取付固定するための第１腕部取付孔が開口形成されており、ここに第１腕部９８の一端側端部が回動自在に取付固定されている。また、この第３従動部９７は、左側面部（第２右側駆動機構９３の場合には右側面部）が第２従動部９６の右側面部（第２右側駆動機構９３の場合には左側面部）と当接するように配置されており、第２従動部９６が図１０及び図１１中のＦ方向へ移動した場合に、この移動によって、第２従動部９６からＦ方向の力を受けるように構成されている。このとき、第３従動部９７は、第２従動部９６からＦ方向の力を受けることによって、Ｆ方向へ直線的に移動する。また、第３従動部９７は、第２従動部９６がＨ方向へ移動した場合には、中央装飾部９１の自重が第１腕部９８を介して作用することによって、Ｈ方向へ移動するように構成されている。
【００４７】
第１腕部９８は、一端側の端部が第３従動部９７に回動自在に取り付けられており、他端側の端部が中央装飾部９１の左側（第２右側駆動機構９３の場合には右側）に回動自在に取り付けられている。また、第１腕部９８には、略中央部に第２腕部９９の他端側の端部を回動自在に取り付けるための孔部が貫通形成されており、ここに第２腕部９９の他端側の端部が取付固定されている。この第１腕部９８は、第３従動部９７がＦ方向へ移動すると、Ｉ方向へ回動し、第３従動部９７がＨ方向へ移動すると、中央装飾部９１の自重による作用を受けてＪ方向へ回動するようになっている。
【００４８】
第２腕部９９は、一端側の端部が第２ベース部材９４に形成された孔部に回動自在に取り付けられており、他端側の端部が第１腕部９８の略中央に貫通形成された孔部に回動自在に取り付けられている。この第２腕部９９は、一端側の端部において第２ベース部材９４と回動自在に取り付けられている点を回動軸として回動するように構成されており、第３従動部９７がＦ方向に移動した時は、第１腕部９８を介して、第３従動部９７の移動による力を受け、一端側の端部を回動軸としてＩ方向に回動する。また、第２腕部９９は、この力を受けてＫ方向に回動して他端側の端部の位置が変位することにより、第１脚部をＩ方向へ回動させるようになっている。また、第２腕部９９は、第３従動部９７がＨ方向へ移動した場合には、第１腕部９８を介して中央装飾部９１の自重による力を受け、Ｌ方向に回動するようになっている。
【００４９】
［第１可動装飾体及び第２可動装飾体の動作］
本実施の形態に係る遊技機１における第１可動装飾体７１及び第２可動装飾体７２の動作について、図１２〜図１４に基づいて説明する。図１２に示すのはリールユニット６の正面図である。このリールユニット６は、リールユニット本体４１に可動装飾部材４４を取り付けた枠体４２を組み付けて構成されている。したがって、リールユニット６を正面から視認した場合には、可動装飾部材４４は、液晶表示装置５の前方に位置し、液晶表示装置５の少なくとも一部を覆うように設けられている。また、この可動装飾部材４４は、上記した通り遊技の進行に伴って可動可能に構成されているので、液晶表示部材の前方において可動可能に設けられている。
【００５０】
遊技機１では、通常は遊技者に不利な通常遊技状態で遊技が行われる。この時は、遊技者は、最大で３枚のメダルをベットしながら順次遊技を行い、遊技機１では、遊技が開始される毎、具体的には、スタートレバー２４が操作される毎に、遊技者に対して有利な大当り状態へ移行するか否かを抽選する大当り抽選が行われる。また、この大当り抽選と併せて、遊技者に対して大当り抽選の結果を知らせるまでの演出をどのように行うかを抽選する演出抽選も行われる。
【００５１】
演出抽選の結果、遊技者に期待感を抱かせるような演出を行わない場合には、図１２に示すように、可動装飾部材４４は可動せず、第１可動装飾体７１は二つの装飾体が隣接する閉じ位置から移動せず、第２可動装飾体７２も下位置から移動せずに遊技が終了する。しかし、演出抽選の結果、遊技者に対して大当り抽選に当選したかもしれないという期待感を抱かせる演出を行う場合には、可動装飾部材４４を可動させて、遊技者の興趣を向上させるような演出を行う。この場合には、一つ目の態様として、第１可動装飾体７１が可動する。第１可動装飾体７１が可動した状態を図１３に示す。
【００５２】
第１可動装飾体７１が図１３に示す状態まで可動する場合には、図８及び図９に示すように、まず第１駆動モータ８２がＡ方向に回転駆動を開始する。第１駆動モータ８２がＡ方向に回転駆動すると、該第１駆動モータ８２の回転軸及び第１ギヤ８４もＡ方向に回転駆動し、該第１ギヤ８４と噛み合う第２ギヤ８５が回転し、第２ギヤ８５と噛み合う第３ギヤ８６、第３ギヤ８６と噛み合う第４ギヤ８７も順次回転する。第４ギヤ８７が回転すると、該第４ギヤ８７と噛み合う第１ラック部８８がＢ方向へ直線的に移動する。すなわち、第１駆動モータ８２がＡ方向へ回転駆動すると、第１可動装飾体７１を構成する左側装飾部７５と右側装飾部７７とが、閉じ位置から開き位置に向けて、互いに離れる方向へ直線的に移動する。
【００５３】
このように第１可動装飾体７１が可動して、左側装飾部７５と右側装飾部７７とが互いに離れた開き位置に移動すると、図１３に示すように、該第１可動装飾体７１の奥側に位置する第２可動装飾体７２の中央装飾部９１が視認できるようになる。この第２可動装飾体７２は、通常は第１可動装飾体７１の左側装飾部７５と右側装飾部７７とによって遊技者が視認できないようになっている。そのため、通常は視認することのできない中央装飾部９１を視認することにより、遊技者の興趣を向上させる演出を行うことが可能になる。
【００５４】
次に、可動装飾体による演出の二つ目の態様として、第１可動装飾体７１及び第２可動装飾体７２が可動する場合について説明する。なお、第１可動装飾体７１が可動する時の作用は上記したものと同様であるから、ここでの説明は省略する。第２可動装飾体７２は、第１可動装飾体７１が図１３に示す状態にまで可動した後に可動する。
【００５５】
第２可動装飾体７２が図１４に示す状態まで可動する場合には、図１０及び図１１に示すように、まず第２駆動モータ９５がＥ方向に回転駆動を開始する。第２駆動モータ９５がＥ方向に回転駆動すると、該第２駆動モータ９５の回転軸及び第５ギヤ１０２もＥ方向に回転駆動する。そして、第２ラック部１００において第５ギヤ１０２と噛み合っている第２従動部９６は、Ｆ方向へ直線的に移動する。第２従動部９６は、Ｆ方向へ直線的に移動する場合、該第２従動部９６がＦ方向へ移動する際の前面となる側面（第２左側駆動機構９２の場合は右側面、第２右側駆動機構９３の場合は左側面）は第３従動部９７の側面（第２左側駆動機構９２の場合は左側面、第２右側駆動機構９３の場合は右側面）と当接するように配置されている。そのため、第２従動部９６がＦ方向へ移動すると、第３従動部９７は第２従動部９６からＦ方向への力を付与されて、第２従動部９６とともにＦ方向へ移動する。この時、第２腕部９９は、第３従動部９７と連結している第１腕部９８を介して力を受け、この力によって第２ベース部材９４と連結している一端側の端部を回動中心として、Ｋ方向に回動する。
【００５６】
この時、第１腕部９８は、第３従動部９７から受けるＦ方向の力と、第２腕部９９がＫ方向へ回動することにより受ける力により、第３従動部９７と連結する一端側の端部を回動軸としてＩ方向へ回動する。したがって、第１腕部９８の他端側の端部に取り付けられている中央装飾部９１は、上方向へ移動する。
【００５７】
このように、第２可動装飾体７２が可動して中央装飾部９１が上位置まで移動すると、図１４に示すように、液晶表示装置５の表示面に形成されている表示領域が、該第１可動装飾体７１を構成する左側装飾部７５と、右側装飾部７７と、中央装飾部９１とによって囲まれた第１の領域１１１と、この第１の領域１１１以外の領域で構成される第２の領域１１２とに分けられる。即ち、第１可動装飾体７１と第２可動装飾体７２とが可動することによって、液晶表示装置５の表示領域を複数の領域に分割することができる。
【００５８】
この時、遊技機１は、第１の領域１１１と第２の領域１１２とを区別せずに一つの表示領域として見て種々の画像を表示させてもよいが、第１の領域１１１において表示させる画像と、第２の領域１１２において表示させる画像とで異なる画像を表示するようにすることが好ましい。このように、第１の領域１１１と第２の領域１１２とで異なる画像を表示させることにより、遊技者の興趣を大幅に向上させる演出を行うことが可能になる。
【００５９】
上記した演出が終了すると、遊技機１は、第２可動装飾体７２の下方に移動させる。この時、遊技機１は、第２可動装飾体７２において、第２駆動モータ９５がＧ方向に回転駆動を開始する。第２駆動モータ９５がＧ方向に回転駆動すると、該第２駆動モータ９５の回転軸及び第５ギヤ１０２もＧ方向に回転駆動し、第２ラック部１００において第５ギヤ１０２と噛み合っている第２従動部９６は、Ｈ方向へ直線的に移動する。
【００６０】
第２従動部９６がＨ方向へ移動すると、第３従動部９７は、第１腕部９８を介して、中央装飾部９１の自重による力を受ける。中央装飾部９１の自重による力は図１０及び図１１中において下方向に向くので、中央装飾部９１と連結している第１腕部９８の他端側の端部も下方向に向く力を受ける。この時、第１腕部９８は、第２腕部９９へ下方向に向く力を付与するが、第２腕部９９は一端側の端部が第２ベース部に回動自在に取り付けられているので、力を受けた第２腕部９９はＬ方向に向けて回動する。このように、第２腕部９９がＬ方向へ回動すると、第１腕部９８は、中央装飾部９１と連結する他端側の端部を回動軸としてＪ方向に回動するので、第３従動部９７と連結する一端側の端部は、該第３従動部９７をＨ方向へ移動させる方向へ力を付与する。したがって、この場合には、第２可動装飾体７２の中央装飾部９１は下方の位置まで移動する。
【００６１】
次に、第１可動装飾体７１がもとの位置まで可動する場合について説明する。図８及び図９に示すように、この場合は、第１駆動モータ８２がＣ方向に回転駆動を開始する。第１駆動モータ８２が第１駆動モータ８２がＣ方向に回転駆動すると、該第１駆動モータ８２の回転軸及び第１ギヤ８４もＣ方向に回転駆動し、該第１ギヤ８４と噛み合う第２ギヤ８５が回転し、第２ギヤ８５と噛み合う第３ギヤ８６、第３ギヤ８６と噛み合う第４ギヤ８７も順次回転する。第４ギヤ８７が回転すると、該第４ギヤ８７と噛み合う第１ラック部８８がＤ方向へ直線的に移動する。すなわち、第１駆動モータ８２がＣ方向へ回転駆動すると、第１可動装飾体７１を構成する左側装飾部７５と右側装飾部７７とが開き位置から閉じ位置に向けて、互いに近づく方向へ直線的に移動する。
【００６２】
このように第１可動装飾体７１が可動して、左側装飾部７５と右側装飾部７７とが互いに隣接する閉じ位置に移動すると、図１２に示すように、該第１可動装飾体７１の奥側に位置する第２可動装飾体７２の中央装飾部９１が左側装飾部７５と右側装飾部７７が前方へ位置して視認できなくなる。このようにして、遊技者の興趣を向上させる演出が終了すると、第１可動装飾体７１及び第２可動装飾体７２のいずれもが、通常の位置に戻るように可動する。
【００６３】
［遊技機の作用効果について］
本実施の形態の遊技機１は、第１〜第３リール４ａ〜４ｃ、液晶表示装置５、並びに内部に副制御基板５２を収納した基板ケース５４が収納されると共に後側の外部に主制御基板５１を収納した基板ケース５３が取り付けられた収納部材４６、可動装飾部材４４及び固定装飾体４３をユニット化したリールユニット６とし、構成上、特定の機種の遊技機１にしか使用できないものと、他の機種に使用できるものとをより明確に区別した。そのため、リールユニット６を交換するだけで他の機種の遊技機１に変更することが可能になり、貴重な資源を無駄にすることのない、環境面に配慮した遊技機１を提供することが可能になる。また、遊技機１をそのまま交換する場合に比べて、交換時に必要なコストを低減することも可能になり、さらには交換作業の作業効率をより向上させることが可能になる。
【００６４】
また、リールユニット６は、本体キャビネット２に対して回動自在に支持されているので、リールユニット６を本体キャビネット２外へ簡単に引き出すことができる。そのため、リールユニット６を本体キャビネット２から引き出して点検等を行う場合の作業効率も向上させることが可能になる。
【００６５】
また、本実施の形態の遊技機１は、リールユニット６の正面側から背面側へ向けて液晶表示装置５、副制御基板５２、主制御基板５１の順で配置し、さらに、液晶表示装置５の上端の位置よりも、副制御基板５２の上端の位置が低く、副制御基板５２の上端の位置よりも主制御基板５１の上端の位置が低くなるようにリールユニット６内に配置しているので、リールユニット６の上部に正面側から背面側へ向けて下部に向けて広がる空間を形成することができ、コネクターと接続された配線を収容するスペースとして用いることができる。そのため、リールユニット６を本体キャビネット２に対して閉じる際に、本体キャビネット２の上板とリールユニット６の上端部との間に配線が挟まり、配線を傷つけたり、断線させてしまうことを防止することが可能になる。
【００６６】
また、本実施の形態の遊技機１は、リールユニット６に液晶表示装置５、主制御基板５１及び副制御基板５２を配置しているので、これらの間の配線の長さを短くすることができ、リールユニット６を閉じる際に配線に大きな弛みが生じることも防止することができ、本体キャビネット２の上板とリールユニット６の上端部との間の配線の挟みこみをより効果的に防止することも可能になる。
【００６７】
また、液晶表示装置５、副制御基板５２、主制御基板５１の上端の位置を上記した関係にし、副制御基板５２のコネクターを基板ケース５４の上部に配置することで、コネクターの位置を作業者に分かりやすくすることができ、作業者が配線を接続しやすくすることができる。そのため、配線作業をスムーズに行うことができ、配線ミスの防止や配線作業の効率化を図ることが可能になる。
【００６８】
また、本実施の形態の遊技機１は、前扉３に表示窓部２８を設けることで、遊技者が可動装飾部材４４及び固定装飾体４３を傷つけたりすることを防止できる。なお、表示窓部２８に用いる透明な部材は凹凸のない平面状のものを用いることが好ましい。表示窓部２８を平面状のものにすることで、表示窓部２８の表面に付着したゴミ等を拭き取りやすくすることができ、表示窓部２８が綺麗な状態を維持して、第１〜第３リール４ａ〜４ｃの図柄や液晶表示装置５の画像などの視認性を向上させることが可能になる。
【符号の説明】
【００６９】
１  遊技機
２  本体キャビネット
３  前扉
４ａ  第１リール
４ｂ  第２リール
４ｃ  第３リール
５  液晶表示装置
６  リールユニット
２８  表示窓部
４１  リールユニット本体
４２  枠体
４３  固定装飾体
４４  可動装飾部材
７１  第１可動装飾体
７２  第２可動装飾体
７３  左可動装飾体
７４  右可動装飾体
７５  左側装飾部
７６  第１左側駆動機構
７７  右側装飾部
７８  第１右側駆動機構
９１  中央装飾部
９２  第２左側駆動機構
９３  第２右側駆動機構
１１１  第１の領域
１１２  第２の領域
【図１】
2014050528.tif 000003
【図２】
2014050528.tif 000004
【図３】
2014050528.tif 000005
【図４】
2014050528.tif 000006
【図５】
2014050528.tif 000007
【図６】
2014050528.tif 000008
【図７】
2014050528.tif 000009
【図８】
2014050528.tif 000010
【図９】
2014050528.tif 000011
【図１０】
2014050528.tif 000012
【図１１】
2014050528.tif 000013
【図１２】
2014050528.tif 000014
【図１３】
2014050528.tif 000015
【図１４】
2014050528.tif 000016